(57)【要約】【課題】  組付性及び操作性が良好で、蓋体の係止を確実に行うことが出来る電気掃除機の蓋体係止構造を提供する。【解決手段】  集塵室４の上部に開口部２ａが設けられた本体ケース２に、基端側が回動可能に支持されて、上部を覆う蓋体１１とを有し、蓋体１１の前縁部１１ｃを本体ケース２の開口部周縁に係止するクランプ部材１２が設けられた電気掃除機の蓋体係止構造である。  蓋体１１とクランプ部材１２との間に、クランプ部材１２を係止方向に付勢するスプリング部材１５を、介在させる際、クランプ部材１２に、スプリング部材１５の一端１５ａを嵌着させて保持する円筒保持部１４を設けると共に、スプリング部材１５の他端１５ａを、蓋体１１にスライド可能に当接させている。【選択図】  図１
2006034799.tif 000002
【特許請求の範囲】
【請求項１】
集塵室の上部に開口部が設けられた本体ケースと、該本体ケースの開口部に、基端側が回動可能に支持されて、該上部を覆う蓋体とを有し、該蓋体の先端側を前記本体ケースの開口部周縁に係止するクランプ部材が設けられた電気掃除機の蓋体係止構造であって、
前記蓋体と該クランプ部材との間に、前記クランプ部材を係止方向に付勢するスプリング部材を介在させる際、該蓋体又はクランプ部材の一方に前記スプリング部材の一端を嵌着させて保持する保持部を設けると共に、該スプリング部材の他端を前記蓋体又はクランプ部材の他方にスライド可能に当接させていることを特徴とする電気掃除機の蓋体係止構造。
【請求項２】
前記スプリング部材の他端には、前記蓋体又はクランプ部材に当接されるスライド当接部材が設けられていることを特徴とする請求項１記載の電気掃除機の蓋体係止構造。
【発明の詳細な説明】
【技術分野】
【０００１】
この発明は、集塵室を覆う蓋体の開閉の際に、クランプ機構を用いる電気掃除機の蓋体係止構造に関し、特に、組付性及び操作性が良好な電気掃除機の蓋体係止構造に関する。
【背景技術】
【０００２】
従来のこの種の電気掃除機の蓋体係止構造としては、図１６に示すようなものが知られている（例えば、特許文献１参照）。
【０００３】
このようなものでは、電気掃除機の蓋体構造では、電気掃除機１の本体ケース２内に、電動送風機３と、集塵室４とが内蔵されている。
【０００４】
この本体ケース２の上面部には、前記集塵室４上面を開放するように開口部２ａが形成されている。
【０００５】
この開口部２ａには、蓋体５が設けられている。この蓋体５は、基端側である後部５ａがヒンジ部６を介して、回動可能に枢着されていて、この蓋体５の回動によって、前記開口部２ａが開閉塞可能となるように覆われている。
【０００６】
また、この蓋体５の先端側である前部５ｂには、この前部５ｂを前記開口部２ａ周縁に係止して、蓋体５を開放不能とするクランプ部材７が、軸支部７ａを介して揺動可能に設けられている。
【０００７】
このクランプ部材７の下端側７ｂには、本体ケース２に一体に形成された係止爪部８が、係止される係止凹部７ｃが、凹設形成されている。
【０００８】
また、このクランプ部材７の上端側７ｄの裏面７ｅには、略円柱状の保持突起７ｆが、一体に突設形成されている。
【０００９】
この保持突起７ｆには、前記軸支部７ａの装着面５ｃとの間に介在されるスプリング部材９が、一端部９ａの内周面を、外嵌させて固定されている。
【００１０】
更に、前記装着面５ｃには、前記スプリング部材９の他端部９ｂの内周面を、外嵌させて固定する保持突起５ｄが、一体に突設形成されている。
【００１１】
次に、この従来の電気掃除機の蓋体構造の作用効果について説明する。
【００１２】
この従来の電気掃除機の蓋体構造では、前記クランプ部材７の上端部７ｄを押圧すると、このクランプ部材７は、前記軸支部７ａを回動中心として、図１６中時計廻りに前記スプリング部材９の付勢力に抗して、回動し、前記係止爪部８に対する前記係止凹部７ｃの係止が解除される。
【００１３】
このため、前記蓋体５は、前記ヒンジ部６を回動中心として、上方に向けて回動可能となり、前記集塵室４の上部の開口部２ａが開放される。
【特許文献１】特開平６−９０８８１号公報
【発明の開示】
【発明が解決しようとする課題】
【００１４】
しかしながら、このような従来の電気掃除機の蓋体構造では、前記スプリング部材９が、前記装着面５ｃに一体に突設形成された保持突起５ｄに対して、前記スプリング部材９の他端部９ｂの内周面が、外嵌されて固定されているので、図１６中二点鎖線で示すように、押圧によって、前記スプリング部材９が、略くの字に屈曲してしまう虞があった。
【００１５】
このように略くの字に屈曲したまま、前記クランプ部材７が、元の位置に戻ると、前記スプリング部材９の一端部９ａ又は、他端部９ｂが、前記保持突起７ｆ又は５ｄから外れたり、或いは、付勢力を前記クランプ部材７に有効に伝達出来ない虞が有り、前記係止爪部８に対する前記係止凹部７ｃの係止が、確実に行われなくなるといった問題があった。
【００１６】
また、前記クランプ部材７を、前記蓋体５の前部５ｂに組み付ける際、前記スプリング部材９の一端部９ａ及び、他端部９ｂを、前記保持突起７ｆ及び５ｄに各々外嵌させながら、このクランプ部材７の裏面７ｅと、前記蓋体５の装着面５ｃとの間に介在させる必要があり、組付作業性が良好であるとは言い難かった。
【００１７】
そして、前記蓋体５の裏面側では、前記保持突起５ｄに、前記スプリング部材９の他端部９ｂの内周面が、確実に外嵌しているかを視認により確認しにくい。
【００１８】
このため、組付け時に、前記保持突起５ｄから前記スプリング部材９の他端部９ｂが、外れたままとなることも有り、更に、係止が確実に行われない虞が増大していた。
【００１９】
そこで、この発明は、組付性及び操作性が良好で、蓋体の係止を確実に行うことが出来る電気掃除機の蓋体係止構造を提供することを課題としている。
【課題を解決するための手段】
【００２０】
前記課題を解決するため本願発明の請求項１に記載されたものは、集塵室の上部に開口部が設けられた本体ケースと、該本体ケースの開口部に、基端側が回動可能に支持されて、該上部を覆う蓋体とを有し、該蓋体の先端側を前記本体ケースの開口部周縁に係止するクランプ部材が設けられた電気掃除機の蓋体係止構造であって、前記蓋体と該クランプ部材との間に、前記クランプ部材を係止方向に付勢するスプリング部材を介在させる際、該蓋体又はクランプ部材の一方に前記スプリング部材の一端を嵌着させて保持する保持部を設けると共に、該スプリング部材の他端を前記蓋体又はクランプ部材の他方にスライド可能に当接させている電気掃除機の蓋体係止構造を特徴としている。
【発明の効果】
【００２１】
このように構成された請求項１記載のものは、前記保持部に一端が嵌着されたスプリング部材の他端が、前記蓋体又は、前記クランプ部材にスライド可能に当接されている。
【００２２】
このため、前記クランプ部材を押圧して、前記スプリング部材を圧縮し、スプリング部材が、スライドする。
【００２３】
従って、押圧力は、常に、スプリング部材の圧縮される方向に略真直に作用して、従来のように略くの字に折れ曲がることがない。
【００２４】
よって、常時、同じ操作力で、前記クランプ部材を操作出来ると共に、該スプリング部材が、従来のように、前記保持部から外れる虞が無いので、蓋体の係止を確実に行わせることが出来る。
【００２５】
また、前記スプリング部材の一端を前記保持部に嵌着させることにより、該スプリング部材を、前記蓋体又は、前記クランプ部材のうち一方に、保持させることが出来る。
【００２６】
このため、前記クランプ部材を前記蓋体に、組付ける際には、前記スプリング部材の他端を前記クランプ部材又は蓋体のうち他方に、当接させるだけで良いので、組付作業性が良好である。
【発明を実施するための最良の形態】
【００２７】
以下、本発明の具体的な最良の実施の形態について、図面を参照しつつ説明する。
なお、前記従来例と同一乃至均等な部分については、同一符号を付して説明する。
【００２８】
図１乃至図１５は、この発明の実施の形態の電気掃除機１０を示すものである。 
【００２９】
まず、構成を説明すると、この実施の形態の電気掃除機１０では、図２に示すように、電気掃除機１０の本体ケース２内に、電動送風機３と、集塵フィルタ４ａを収納する集塵室４とが内蔵されている。
【００３０】
この本体ケース２の上面部には、前記集塵室４上面を開放するように開口部２ａが形成されている。
【実施例１】
【００３１】
図１乃至図１１は、この発明の実施の形態の実施例１を示すものである。
【００３２】
この実施例１の電気掃除機１０の開口部２ａには、図６に示すような蓋体１１が設けられている。
【００３３】
この蓋体１１は、基端側である後縁部１１ａが、ヒンジ部としての一対の係止フック部１１ｂ，１１ｂを介して、回動可能に支持されるように構成されていて、この蓋体５によって、前記開口部２ａが開閉塞可能となるように覆われている。
【００３４】
また、この蓋体１１の先端側である前縁部１１ｃには、この前縁部１１ｃを前記開口部２ａ周縁に係止して、この蓋体１１を開放不能とすると共に、係止解除状態で、この蓋体の回動を許容するクランプ部材１２が、図５に示すように、一対の内側壁部１１ｄ，１１ｄに穿設形成された軸支部１１ｅ，１１ｅに、軸部１２ａ，１２ａが各々挿通されることにより、揺動可能に設けられている。
【００３５】
このクランプ部材１２には、前記前縁部１１ｃに沿う板状の前面部１２ｂの周囲に、図７に示すように、左，右一対のフランジ壁部１２ｃ，１２ｃ及び上側フランジ壁部１２ｄが、一体に連設されて、正面視略門型を呈するように形成されている。
【００３６】
このうち、前記軸部１２ａ，１２ａは、これらのフランジ壁部１２ｃ，１２ｃの外側面の上下方向略中央位置から後方へ向けて、一体に延設された延設壁部１２ｅ，１２ｅから、左，右外側方に向けて突設するように一体形成されている。
【００３７】
また、この前面部１２ｂの左，右幅方向中央で、上下方向で下縁１２ｆ近傍には、前記軸部１２ａ，１２ａよりも下方に位置するように、係止開口部１２ｇが開口形成されている。
【００３８】
この係止開口部１２ｇは、前記本体ケース２の開口部２ａ周縁に一体に突設形成された係止爪部８が、前記蓋体１１閉塞状態で係止されるように正面視略横長の長方形形状を呈するように、形成されると共に、周縁には、前記前面部１２ｂから一定高さ突設される周縁フランジ部１２ｈが一体に形成されていて、前記係止爪部８の係止長さを増大させるように構成されている。
【００３９】
そして、このクランプ部材１２の前記前面部１２ｂの裏面側には、保持部としての円筒保持部１４が裏面に対して垂直に突設形成されている。
【００４０】
この円筒保持部１４は、後端面が、前記裏面と略平行に形成された円筒部本体１４ａ及び、この円筒部本体１４ａの下部が、一定の周方向長さで、後端面１４ｃから延設される断面略弓型の凸部１４ｂとを有して、主に構成されていて、中心軸ｓの高さ方向位置は、図４に示すように、前記軸部１２ａ，１２ａの高さ方向位置よりも、寸法ｈ１高い位置となるように設けられている。
【００４１】
また、この円筒保持部１４には、スプリング部材１５が、一端１５ａをこの円筒保持部１４内側面に内嵌させて固定されている。
【００４２】
このスプリング部材１５は、前記蓋体１１の前端部１１ｃに設けられた前壁部１１ｆと、前記クランプ部材１２との間に、介在されている。
【００４３】
このスプリング部材１５の他端１５ｂは、前記前壁部１１ｆの外側面に、上下方向に沿ってスライド可能に当接されていることにより、このクランプ部材１２が、前記係止開口部１２ｇ内に、前記係止爪部８が挿入されて係止される係止方向である図９中、前記軸部１２ａを回転中心とする反時計廻り方向に、付勢される様に構成されている。
【００４４】
そして、このスプリング部材１５の下側一側面側には、前記円筒保持部１４の後端面１４ｃの下壁側の一部が後方に向けて延設される前記凸部１４ｂが添設されて、このスプリング部材１５の脱落が防止されるように構成されている。
【００４５】
更に、この前壁部１１ｆの外側面には、左右一対で、上下方向に向けて延設されるガイド壁部１１ｇ，１１ｇが、前方に向けて突設形成されていて、前記円筒保持部１４の左，右側に各々所定の高さを有して位置する事により、このスプリング部材１５の他端１５ｂが、左，右方向に移動不能で、しかも、上下方向に沿ってスライドガイドされるように構成されている。
【００４６】
また、この実施例１の電気掃除機１０の開口部２ａの周縁２ｂには、上面にシール溝部２ｃが、略全周に渡って凹設形成されている。
【００４７】
このシール溝部２ｃには、シール部材２ｄが埋設されている。そして、前記前壁部１１ｆの下端縁１１ｈを含む前記蓋体１１の下周縁側が、この蓋体１１が閉塞された状態でこのシール部材２ｄに当接されることにより、この集塵室４内を略密閉している。
【００４８】
更に、この実施例１の電気掃除機１０の蓋体１１上面部には、接続口１１が開口形成されていて、図２に示すように、集塵ホース１６の一端１６ａが接続されると共に、他端１６ｂに接続された手元操作管１７を介して、吸込口体１８が先端に設けられた延長管１９が接続されている。
【００４９】
次に、この実施例１の作用について説明する。
【００５０】
この実施例１の電気掃除機の蓋体係止構造では、図９に示すように、前記クランプ部材１２の前記円筒保持部１４に、一端１５ａが嵌着されたスプリング部材１５の反対側の他端１５ｂが、前記蓋体１１の前壁部１１ｆの前面に、上下方向にスライド可能に当接されている。
【００５１】
このため、前記蓋体１１が閉じられた状態では、前記係止開口部１２ｇ内に、前記係止爪部８が挿入されて係止されている。
【００５２】
従って、前記開口部２ａの周縁２ｂに形成されたシール溝部２ｃに埋設されたシール部材２ｄに、前記前壁部１１ｆの下端縁１１ｈを含む前記蓋体１１の下周縁側が、略全周に渡り、当接されることにより、前記集塵室４内が略密閉される。
【００５３】
この実施例１では、前記係止開口部１２ｇの周囲に、前記前面部１２ｂから一定高さ突設される周縁フランジ部１２ｈによって、前記係止爪部８の係止長さが増大されていて、更に、確実に係止及び閉塞状態が保持される。
【００５４】
次に、前記集塵室４内の集塵フィルタ４ａを交換する際、前記蓋体１１を開放する動作について説明する。
【００５５】
すなわち、前記クランプ部材１２の前面部１２ｂの上縁側を押圧若しくは、前記上側フランジ壁部１２ｄを引き上げるように押圧すると、このクランプ部材１２は、前記スプリング部材１５の付勢力に抗して、図１１に示すように、前記軸部１２ａを回動中心として図中時計廻りに回動する。
【００５６】
このため、前記係止開口部１２ｇ内から、前記係止爪部８が抜出されて係止が解除されて、図１０に示されるように、前記蓋体１１の後縁部１１ａに設けられた係止フック部１１ｂ，１１ｂを回動中心とする上方開放方向への回動が許容される。
【００５７】
このように、前記スプリング部材１５が圧縮される際にも、図１中二点鎖線又は、図１１中に示すように、前記スプリング部材１５の他端１５ｂが、前記前壁部１１ｆの前面に沿って下方に、スライド移動される。
【００５８】
従って、押圧力は、常に、スプリング部材１５が圧縮される方向に略真直に作用して、従来のように略くの字に折れ曲がることがない。
【００５９】
よって、常時、同じ操作力で、前記クランプ部材１２を操作出来ると共に、このスプリング部材１５が、従来の図１６中のように、前記保持突起５ｄから外れる虞が無いので、蓋体１１の係止を確実に行わせることが出来る。
【００６０】
しかも、この実施例１では、前記他端１５ｂが、前記蓋体１１の前壁部１１ｆの前面に当接されているだけなので、前記円筒保持部１４が、前記前壁部１１ｆから離間する際にも、この円筒保持部１４内から、前記スプリング部材１５に引き抜かれるような力が作用する事がない。
【００６１】
従って、この円筒保持部１４の内側面に対する前記スプリング部材１５の内嵌状態も保持されて、外れる虞が殆ど無く、更に、蓋体１１の係止が確実に行われる。
【００６２】
また、前記スプリング部材１５の一端１５ａが、前記円筒保持部１４に嵌着されて固定されるように構成されているので、このスプリング部材１５を、前記クランプ部材１２に、予め保持させることが出来る。
【００６３】
このため、前記蓋体１１の組立時、前記クランプ部材１２を前記蓋体１１に、組付ける際には、前記スプリング部材１５の他端１５ｂを、この蓋体１１の前壁部１１ｆに形成された一対の前記ガイド壁部１１ｇ，１１ｇ間に位置するように、当接させるだけで良いので、組付作業性が良好である。
【００６４】
また、目視で嵌着状態を、前記蓋体１１とクランプ部材１２との間隙から行う必要もないので、組付け完了の検査項目を減少させることも出来る。
【００６５】
しかも、この実施例１では、前記円筒保持部１４には、前記スプリング部材１５の下側一側面側に添設されて、このスプリング部材１５の脱落を防止する凸部１４ｂが一体に形成されている。
【００６６】
このため、前記円筒保持部１４の内側面に対する前記スプリング部材１５の内嵌が外れても、このスプリング部材１５が、この凸部１４ｂによって、下方から支持されて脱落する虞が無い。
【００６７】
また、この凸部１４ｂは、図１中二点鎖線若しくは図１１中に示すように、前記クランプ部材１２が、時計廻り方向に回動されている状態では、前記前壁部１１ｆの前面に近接していて、反時計回り方向に回動して、このクランプ部材１２が、図９に示すような係止状態に戻る際には、前記スプリング部材１５を、当接されている他端１５ｂ近傍から上方向けて押し上げることができる。
【００６８】
従って、他端１５ｂが、前記前壁部１１ｆの前面にスライド摺接して、所定の摩擦力を発生させていても、このスプリング部材１５を直線状に維持して、くの字等に屈曲させてしまう虞が無い。
【００６９】
このため、この点においても、前記スプリング部材１５の付勢力が維持されて、前記係止爪部８に対する前記係止開口部１２ｇの係止を確実に行わせることが出来る。
【００７０】
また、このように、この実施例１のスプリング部材１５は、略くの字に屈曲したり、或いは、円筒保持部１４から、一端１５ａが抜出する虞が殆ど無いので、例えば、このスプリング部材１５の軸方向全長を長く設定して、前記クランプ部材１２の回動ストローク量を大きくすることが出来る。
【００７１】
このため、前記係止開口部１２ｇの周縁に、周縁フランジ部１２ｈを一定高さ突設させて、前記係止爪部８の係止長さを増大させる構成としても、このクランプ部材１２の回動によって、係止を充分に解除出来るように構成できる。
【００７２】
従って、この点においても、係止長さが増大された係止開口部１２ｇを用いて、蓋体１１の係止を確実に行わせることができる。
【００７３】
また、この実施例１では、前記左右一対のガイド壁部１１ｇ，１１ｇが、前壁部１１ｆの前面に、上下方向に向けて延設されている。
【００７４】
このため、前記スプリング部材１５の他端１５ｂが、左，右方向に移動不能で、しかも、上下方向に沿ってスライドガイドされる。
【００７５】
従って、図４中左右方向への前記スプリング部材１５の屈曲変形も抑制されて、更に、確実に、スプリング部材１５の付勢力を前記クランプ部材１２に与えて、蓋体１１の係止を確実に行わせることが出来る。
【実施例２】
【００７６】
図１２は、本発明の具体的な実施の形態の実施例２の電気掃除機の蓋体構造を示すものである。
【００７７】
なお、前記実施例１と同一乃至均等な部分については、同一符号を付して説明する。
【００７８】
まず、構成について、実施例１の電気掃除機の蓋体構造との相違点を中心に、この実施例２の電気掃除機の蓋体構造の構成を説明すると、この実施例２の電気掃除機の蓋体構造では、前記スプリング部材１５と略同様に構成されるスプリング部材１１５の他端１１５ｂには、実施例１と同様に構成される前記蓋体１１の前壁部１１ｆの前側面に当接されるスライド当接部材２０が設けられている。
【００７９】
このスライド当接部材２０は、ポリアセタール、テフロン（登録商標）等の低摩擦部材で、主に構成されていて、摺接面部２０ａから、一体となるように側面視略凸字状に突設された基軸部２０ｂが設けられている。
【００８０】
この基軸部２０ｂは、前記スプリング部材１１５の他端１１５ｂ内側に挿入されて、内部から嵌着されて、このスライド当接部材２０が、このスプリング部材１１５に固定されるようにしている。
【００８１】
また、この基軸部２０ｂの後端には、丸平板状の摺接面部２０ａが、一体に形成されている。  
【００８２】
この摺接面部２０ａは、前壁部１１ｆの前側面にスライド当接されると共に、同軸上に形成される前記基軸部２０ｂの外径よりも大きな外径寸法を有することにより、この基軸部２０ｂの外側に嵌着される前記スプリング部材１１５の他端１１５ｂを、裏面側に当接させて、軸方向の位置決めが行われている。
【００８３】
次に、この実施例２の作用について説明する。
【００８４】
このように構成された実施例２の電気掃除機の蓋体構造では、前記スライド当接部材２０の摺接面部２０ａが、前壁部１１ｆの前側面にスライド当接されているので、前記前壁部１１ｆの前面に沿って、上，下方向に、スライド移動される際にも、このスプリング部材１１５が、このスライド当接部材２０を摺接させながらスライドされる。
【００８５】
他の構成及び作用効果については、前記実施例１とは、スライド当接部材２０が入っている分、前壁部１１ｆの前面の摩耗が少なく、スライドがスムーズにいく以外は、同一であるので、説明を省略する。
【実施例３】
【００８６】
図１３乃至図１５は、本発明の具体的な実施の形態の実施例３の電気掃除機の蓋体構造を示すものである。
【００８７】
なお、前記実施例１，２と同一乃至均等な部分については、同一符号を付して説明する。
【００８８】
まず、構成について、実施例１の電気掃除機の蓋体構造との相違点を中心に、この実施例３の電気掃除機の蓋体構造の構成を説明すると、この実施例３の電気掃除機の蓋体構造では、前記スプリング部材２１５の他端２１５ｂには、実施例１と同様に構成される前記蓋体１１の前壁部１１ｆの前側面に当接される摺接球面部３０ａが形成された球状スライド当接部材３０が設けられている。
【００８９】
この実施例３の球状スライド当接部材３０は、前記他端２１５ｂに対して回転可能となるように支持されている。
【００９０】
また、この実施例３では、前記スプリング部材２１５の一端２１５ａが嵌着されて固定される保持部として、傾斜円筒保持部１１４が、このクランプ部材２１２の前面部１２ｂの裏面側から、一体となるように、軸方向を後方に向けて、突設形成されている。
【００９１】
この傾斜円筒保持部１１４は、本体１１４ａが、略円筒形状を呈して、端面１１４ｂが前記前面部１２ｂの裏面側に対して、一定角度で傾斜させて形成されている。
【００９２】
そして、この端面１１４ｂに連設される下側壁１１４ｃによって、前記実施例１の凸部１４ｂに相当する凸部１１４ｄが連続形成されている。
【００９３】
次に、この実施例３の電気掃除機の蓋体構造の作用効果について説明する。
【００９４】
この実施例３の電気掃除機の蓋体構造では、前記球状スライド当接部材３０の摺接球面部３０ａが、前壁部１１ｆの前側面にスライド当接されているので、前記前壁部１１ｆの前面に沿って、上，下方向に、スライド移動される際に、点接触によって摩擦の発生が抑制されながら、前記スプリング部材２１５の他端２１５ｂに設けた球状スライド当接部材３０をスライドさせる。
【００９５】
また、この実施例３では、前記傾斜円筒保持部１１４には、前記スプリング部材２１５の下側一側面側に添設されて、このスプリング部材２１５の脱落を防止する凸部１１４ｄが一体に形成されている。
【００９６】
このため、前記傾斜円筒保持部１１４の内側面に対する前記スプリング部材２１５の内嵌が外れても、このスプリング部材２１５が、この凸部１１４ｄによって、下方から支持されて脱落する虞が無い。
【００９７】
また、前記凸部１１４ｄは、図１５中に示すように、前記クランプ部材１１２が、時計廻り方向に回動されている状態では、前記前壁部１１ｆの前面に近接していて、反時計回り方向に回動して、このクランプ部材１１２が、図１４に示すような係止状態に戻る際には、前記スプリング部材２１５を、前記球状スライド当接部材３０と共に上方向けて押し上げることができる。
【００９８】
従って、摺接球面部３０ａが、前記前壁部１１ｆの前面にスライド摺接されて、所定の摩擦抵抗力が発生していても、このスプリング部材２１５を直線状に維持して、くの字等に屈曲させてしまう虞が無い。
【００９９】
このため、前記スプリング部材２１５の付勢力が維持されて、前記係止爪部８に対する前記係止開口部１２ｇの係止を確実に行わせることが出来る。  
【０１００】
また、この実施例３では、前記球状スライド当接部材３０が、前記他端２１５ｂに対して回転可能となるように支持されているので、スライド摺接時の摩擦抵抗力を減少させて、更に、確実に上下方向へのスライド移動を行わせることができる。
【０１０１】
他の構成及び作用効果については、前記実施例１とは、球状スライド当接部材３０が入っている分、前壁部１１ｆの前面の摩耗が少なく、スライドがスムーズにいく以外は、同一であるので、説明を省略する。
【０１０２】
上述してきたように、この発明の電気掃除機の蓋体係止構造では、前記円筒保持部１４に一端１５ａが嵌着されたスプリング部材１５の他端１５ｂが、前記蓋体１１にスライド可能に当接されている。
【０１０３】
このため、前記クランプ部材１２を押圧して、前記スプリング部材１５が圧縮される際にも、スプリング部材１５の延設方向が、クランプ部材１２の回動方向に沿って、略直交状態が保持されたまま、スライドされる。
【０１０４】
従って、押圧力は、常に、スプリング部材１５の圧縮される方向に略真直に作用して、従来のように略くの字に折れ曲がることがない。
【０１０５】
よって、常時、同じ操作力で、前記クランプ部材１２を操作出来ると共に、スプリング部材１５が、従来のように、前記円筒保持部１４から外れる虞が無いので、蓋体１１の係止を確実に行わせることが出来る。
【０１０６】
また、前記スプリング部材１５の一端１５ａを前記円筒保持部１４に嵌着させることにより、スプリング部材１５を、前記クランプ部材１２に、保持させることが出来る。
【０１０７】
このため、前記クランプ部材１２を蓋体１１に、組付ける際には、前記スプリング部材１５の他端１５ｂを、蓋体１１に、当接させるだけで良いので、組付作業性が良好である。
【０１０８】
更に、前記スライド当接部材２０又は球状スライド当接部材３０の摺接部面２０ａ又は摺接球面部３０ａが、前記蓋体１１の前壁部１１ｆの前面に対して、円滑にスライド摺接されるので、更に、確実にスプリング部材１５を、スライドさせることができる。
【０１０９】
また、前記保持部に形成された円筒保持部１４又は傾斜円筒保持部１１４の凸部１４ｂ又は凸部１１４ｄが、前記スプリング部材１５，１１５の一側面側に添設されて、スプリング部材１５，１１５の脱落が防止されるので、更に、前記蓋体１１の係止を確実に行わせることが出来る、という実用上有益な効果を発揮する。
【０１１０】
以上、この発明の実施の形態及び実施例１乃至３を図面により詳述してきたが、具体的な構成は、この実施の形態及び実施例１乃至３に限らず、この発明の要旨を逸脱しない範囲の設計の変更等があってもこの発明に含まれる。
【０１１１】
例えば、前記実施例１では、前記クランプ部材１２に形成された前記円筒保持部１４に、スプリング部材１５の一端１５ａを嵌着させて、反対側の他端１５ｂを、前記蓋体１１にスライド可能に当接させているが、特にこれに限らず、例えば、前記蓋体１１に形成された前記円筒保持部１４に、スプリング部材１５の一端１５ａを嵌着させて、反対側の他端１５ｂを、前記クランプ部材１２にスライド可能に当接させるように構成してもよい。
【０１１２】
また、実施例２では、基軸部２０ｂの後端に、丸平板状の摺接面部２０ａが、一体に形成されているが、特にこれに限らず、例えば、摺接面部２０ａの形状を、半円球形状等としても、スライド可能に当接されるものであるならば、形状、材質等が特に限定されるものではない。
【０１１３】
更に、実施例３の球状スライド当接部材３０は、前記スプリング部材２１５の他端２１５ｂに対して回転可能となるように支持されているが、特にこれに限らず、例えば、前記スプリング部材２１５の他端２１５ｂに対して固定されていても、スライド可能に当接されるものであってもよい。
【図面の簡単な説明】
【０１１４】
【図１】本発明の最良の実施の形態の実施例１の電気掃除機の蓋体構造の構成を説明し、図２中Ａ−Ａ線に沿った位置での要部の一部断面斜視図及び拡大断面図である。
【図２】実施例１の電気掃除機の蓋体構造で、電気掃除機全体の構成を説明する斜視図である。
【図３】実施例１の電気掃除機の蓋体構造で、電気掃除機本体の正面図である。
【図４】実施例１の電気掃除機の蓋体構造で、要部の拡大正面図である。
【図５】実施例１の電気掃除機の蓋体構造で、図４中Ｂ−Ｂ線に沿った位置での断面図である。
【図６】実施例１の電気掃除機の蓋体構造で、蓋体を裏面側下方から見た斜視図である。
【図７】実施例１の電気掃除機の蓋体構造で、クランプ部材の斜視図である。
【図８】実施例１の電気掃除機の蓋体構造で、クランプ部材の要部の構成を説明する縦断面図である。
【図９】実施例１の電気掃除機の蓋体構造で、係止状態を説明する図２中Ａ−Ａ線に沿った位置に相当する位置での断面図である。
【図１０】実施例１の電気掃除機の蓋体構造で、蓋体が、開放された状態を説明する掃除機本体の斜視図である。
【図１１】実施例１の電気掃除機の蓋体構造で、係止が解除された状態を説明する図２中Ａ−Ａ線に沿った位置に相当する位置での断面図である。
【図１２】実施例２の電気掃除機の蓋体構造で、クランプ部材の構成を説明する斜視図である。
【図１３】実施例３の電気掃除機の蓋体構造で、クランプ部材の構成を説明する斜視図である。
【図１４】実施例３の電気掃除機の蓋体構造で、係止状態を説明する図２中Ａ−Ａ線に沿った位置に相当する位置での断面図である。
【図１５】実施例３の電気掃除機の蓋体構造で、係止が解除された状態を説明する図２中Ａ−Ａ線に沿った位置に相当する位置での断面図である。
【図１６】従来の電気掃除機の蓋体構造で、掃除機本体の構成を説明する一部断面側面図である。
【符号の説明】
【０１１５】
２              本体ケース
２ａ            開口部
４              集塵室
８              係止爪部
１０            電気掃除機
１１            蓋体
１１ａ          後縁部（基端側）
１１ｂ          係止フック部（ヒンジ部）
１１ｃ          前縁部（先端側）
１２，１１２    クランプ部材
１２ｇ          係止開口部
１４            円筒保持部（保持部）
１５，１１５，２１５
スプリング部材
１５ａ，１１５ａ，２１５ａ
一端
１５ｂ，１１５ｂ，２１５ａ
他端
２０            スライド当接部材
２０ａ          摺接面部
３０            球状スライド当接部材
３０ａ          摺接球面部
１１４          傾斜円筒保持部
１４ｂ，１１４ｄ  凸部
【図１】
2006034799.tif 000003
【図２】
2006034799.tif 000004
【図３】
2006034799.tif 000005
【図４】
2006034799.tif 000006
【図５】
2006034799.tif 000007
【図６】
2006034799.tif 000008
【図７】
2006034799.tif 000009
【図８】
2006034799.tif 000010
【図９】
2006034799.tif 000011
【図１０】
2006034799.tif 000012
【図１１】
2006034799.tif 000013
【図１２】
2006034799.tif 000014
【図１３】
2006034799.tif 000015
【図１４】
2006034799.tif 000016
【図１５】
2006034799.tif 000017
【図１６】
2006034799.tif 000018